(57)【特許請求の範囲】
【請求項１】
支持部材によって回転可能に取り付けられた操作軸と、一面に複数の凹凸部を有し、前記操作軸によって回転される回転体と、回転方向への移動が規制されると共に、軸方向の移動が可能に保持された駆動体と、この駆動体を前記回転体に弾圧するバネ部材とを備え、前記駆動体には、一つの突部と、前記操作軸を挟んで前記突部と対向する位置に押さえ部を設け、この押さえ部が前記バネ部材によって前記回転体に弾圧されるようにすると共に、前記押さえ部を形成した側に支持部を設け、この支持部が前記支持部材に片持ち状態で保持され、前記駆動体の前記突部側が前記支持部を支点として軸方向に移動するようにし、前記駆動体の前記突部と前記回転体の前記凹凸部との間で係脱を行うようにしたことを特徴とするクリック付回転型電気部品。
【請求項２】
前記支持部材は、軸方向の線と直交する線を挟んで互いに間隔をおいて配置された一対の挟持部を有し、この挟持部によって前記支持部が保持されたことを特徴とする請求項１記載のクリック付回転型電気部品。
【請求項３】
前記駆動体が合成樹脂の成形品で形成され、前記バネ部材が金属板で形成されたことを特徴とする請求項１、又は２記載のクリック付回転型電気部品。
【発明の詳細な説明】
【０００１】
【発明の属する技術分野】
本発明は、回転型の可変抵抗器、エンコーダ等の回転型電気部品のクリック機構に関する。
【０００２】
【従来の技術】
従来のクリック付回転型電気部品は、図２８，図２９に示すように、内面に凹凸部３１を設けた軸受け部３２に操作軸３３が回転可能に取り付けられ、この操作軸３３の非円形部３３ａには、摺動子３４を取り付けた回転体３５が取り付けられ、操作軸３３の回転により、絶縁基板３６に取り付けられた抵抗体３７に摺動子３４が摺動して、抵抗値を可変して、回転型電気部品Ｄを操作するようになっている。
【０００３】
また、金属板からなるクリック用のバネ板３８は、図２９に示すように、非円形孔３８ａを有する基部３８ｂと、基部３８ｂから半円弧状に伸びる腕部３８ｃと、腕部３８ｃの中央部に設けられた一つの凸部３８ｄとを有し、このバネ板３８は、非円形孔３８ａに操作軸３３の非円形部３３ａが挿通されて、操作軸３３に取り付けられ、操作軸３３の回転時、その凸部３８ｄが軸受け部３２の凹凸部３１に係脱し、回転動作にクリック感を与えてクリック機構Ｋを構成している。この時、バネ板３８は、軸受け部３２に対して凸部３８ｄのみが弾圧するため、操作軸３３の回転時、回転中心軸が傾いてスムースな回転ができないものとなっていた。
【０００４】
また、一般にクリック付回転型電気部品は、回転型電気部品Ｄを回転操作するための種々の作動力、及びクリック機構Ｋにおける種々のクリック力、更には、操作軸３３の所定回転位置における種々のクリック角が要求される。
そこで、上記のクリック付回転型電気部品においては、種々の作動力を得るためには、バネ板３８の板厚を変えることによって対応し、また、種々のクリック力を得るためには、凹凸部３１への凸部３８ｄの落ち込み度合い、即ち、凸部３８ｄの大きさを変えることによって対応し、更には、種々のクリック角を得るためには、軸受け部３２の凹凸部３１の間隔を変えることによって対応している。
【０００５】
そして、上述したような従来のクリック付回転型電気部品において、クリック角の対応においては、一つの凸部３８ｄを有するバネ板３８が凹凸部３１に係脱するため、バネ板３８を変更することなく、凹凸部３１の間隔の異なる軸受け部３２のみを用意すればよい反面、種々の作動力と種々のクリック力の対応においては、多数のバネ板３８を用意する必要がある。
例えば、第１〜第３の作動力と、第１〜第３のクリック力とに対応するためには、第１の作動力の板厚を備えたバネ板３８において、それぞれ凸部３８ｄの大きさの異なる第１〜第３のクリック力となる３つのクリックバネ板３８を用意し、また、第２の作動力においても同様に３つのバネ板３８を用意し、更に、第３の作動力においても同様に３つのバネ板３８を用意し、合計９個のバネ板３８を必要とする。
【０００６】
そして、上記のような欠点を無くした従来のクリック付回転型電気部品を図３０に基づいて説明すると、円錐状の内面全周に凹凸部４１を設けた軸受け部４２には、合成樹脂からなる操作軸４３が回転可能に取り付けられ、この操作軸４３の一端には、摺動子４４を取り付けた回転体４５が設けられ、操作軸４３の回転により、絶縁基板４６に取り付けられた抵抗体（図示せず）に摺動子４４が摺動して、抵抗値を可変して、回転型電気部品Ｄを操作するようになっている。
【０００７】
また、合成樹脂の成型品からなる円錐台状のクリック部材４７は、中心部に設けられた非円形孔４７ａと、円錐面の全面に設けられた凹凸部４７ｂとを有し、このクリック部材４７は、非円形孔４７ａに操作軸４３の非円形部４３ａが挿通されてスプライン結合され、クリック部材４７が操作軸４３によって回転すると共に、クリック部材４７と回転体４５との間に介在され、操作軸４３に挿通されて取り付けられたコイルバネ４８がクリック部材４７を軸受け部４２に押圧して、凹凸部４７ｂを軸受け部４２の凹凸部４１に係脱するようにしている。
【０００８】
そして、操作軸４３を回転すると、クリック部材４７も回転するが、この時、クリック部材４７は、コイルバネ４８のバネ性に抗して軸方向に移動すると共に、凹凸部４７ｂが軸受け部４２の凹凸部４１から係脱し、これによって、回転動作にクリック感を与えてクリック機構Ｋを構成している。
【０００９】
そして、このような従来のクリック付回転型電気部品において、種々の作動力と種々のクリック力の対応においては、例えば、第１〜第３の作動力と、第１〜第３のクリック力とに対応するために、第１〜第３の個々の作動力を備えた３個のコイルバネ４８と、それぞれ凹凸部４７ｂの大きさの異なる第１〜第３のクリック力となる３個のクリック部材４７の、合計６個の部品を用意すれば良く、後者のクリック付回転型電気部品は、前者のクリック付回転型電気部品に比して、少ない部品を用意すれば良くなる。
【００１０】
しかし、この後者のものにおいて、種々のクリック角を得るためには、軸受け部４２の凹凸部４１と、クリック部材４７の凹凸部４７ｂの双方とも間隔を変えたものを用意する必要があり、このため、種々のクリック角を得るために、多種類の軸受け部４２とクリック部材４７とが必要である。
また、クリック部材４７を操作軸４３の非円形孔４３ａにスプライン結合しているため、スプライン結合部分が回転型電気部品Ｄの中央部に位置することとなり、よって両者にガタがあると、操作軸４３を回転してもクリック部材４７を駆動できない回転領域が大きくなってしまうという問題がある。
【００１１】
【発明が解決しようとする課題】
即ち、前者のクリック付回転型電気部品においては、種々の作動力と種々のクリック力の対応において、多数のバネ板３８を必要とし、また、後者のクリック付回転型電気部品においては、種々のクリック角を得るために、多種類の軸受け部４２とクリック部材４７が必要であるという問題がある。
【００１２】
そこで、本発明は、種々の作動力、種々のクリック力、及び種々のクリック角の対応において、部品点数の少ないクリック付回転型電気部品を提供することを目的とする。
【００１３】
【課題を解決するための手段】
上記課題を解決するための第１の解決手段として、支持部材によって回転可能に取り付けられた操作軸と、一面に複数の凹凸部を有し、前記操作軸によって回転される回転体と、回転方向への移動が規制されると共に、軸方向の移動が可能に保持された駆動体と、この駆動体を前記回転体に弾圧するバネ部材とを備え、前記駆動体には、一つの突部と、前記操作軸を挟んで前記突部と対向する位置に押さえ部を設け、この押さえ部が前記バネ部材によって前記回転体に弾圧されるようにすると共に、前記押さえ部を形成した側に支持部を設け、この支持部が前記支持部材に片持ち状態で保持され、前記駆動体の前記突部側が前記支持部を支点として軸方向に移動するようにし、前記駆動体の前記突部と前記回転体の前記凹凸部との間で係脱を行うようにした構成とした。
【００１４】
また、第２の解決手段として、前記支持部材は、軸方向の線と直交する線を挟んで互いに間隔をおいて配置された一対の挟持部を有し、この挟持部によって前記支持部が保持された構成とした。
また、第３の解決手段として、前記駆動体が合成樹脂の成形品で形成され、前記バネ部材が金属板で形成された構成とした。
【００１６】
【発明の実施の形態】
本発明のクリック付回転型電気部品を図１〜図２６に基づいて説明すると、図１は本発明のクリック付回転型電気部品の要部断面図、図２は本発明のクリック付回転型電気部品の要部斜視図、図３は本発明のクリック付回転型電気部品に係り、操作軸と回転伝達部材との関係を示す説明図、図４は本発明のクリック付回転型電気部品に係り、回転伝達部材と回転体の関係を示す説明図、図５は本発明のクリック付回転型電気部品に係り、支持部材にバネ部材を組み合わせた状態を示す下面図、図６は本発明のクリック付回転型電気部品に係り、支持部材に駆動体を組み合わせた状態を示す下面図である。
【００１７】
また、図７は本発明のクリック付回転型電気部品に係る支持部材の平面図、図８は本発明のクリック付回転型電気部品に係る支持部材の側面図、図９は本発明のクリック付回転型電気部品に係る支持部材の下面図、図１０は図９の１０−１０線における断面図、図１１は本発明のクリック付回転型電気部品に係るバネ部材の平面図、図１２は本発明のクリック付回転型電気部品に係るバネ部材の側面図、図１３は本発明のクリック付回転型電気部品に係る駆動体の平面図、図１４は本発明のクリック付回転型電気部品に係る駆動体の側面図、図１５は本発明のクリック付回転型電気部品に係る駆動体の下面図である。
【００１８】
また、図１６は本発明のクリック付回転型電気部品に係る回転伝達部材の平面図、図１７は本発明のクリック付回転型電気部品に係る回転伝達部材の側面図、図１８は本発明のクリック付回転型電気部品に係る回転伝達部材の下面図、図１９は本発明のクリック付回転型電気部品に係る回転伝達部材の裏面図、図２０は図１６の２０−２０線における断面図、図２１は本発明のクリック付回転型電気部品に係る回転体の平面図、図２２は本発明のクリック付回転型電気部品に係る回転体の側面図、図２３は本発明のクリック付回転型電気部品に係る回転体の下面図、図２４は図２１の２４−２４線における断面図、図２５は本発明のクリック付回転型電気部品に係る絶縁基板の平面図である。
【００１９】
次に、本発明のクリック付回転型電気部品の構成を図１〜図２５に基づいて説明すると、亜鉛ダイキャスト、或いは合成樹脂の成型品等からなる軸受け部材等の支持部材１は、図７〜図１０に示すように、平板状の基部１ａと、この基部１ａから外方に突出して形成された孔１ｂを有する筒状部１ｃと、基部１ａの内面側で、孔１ｂの周囲に設けられたリング状の凸部１ｄと、この凸部１ｄの近傍に設けられ、凸部からなるストッパー部１ｅと、基部１ａの内面側で、基部１ａの外周縁の近傍に設けられ、互いに間隔を置いて設けられた一対の挟持部１ｆとを有する。
【００２０】
そして、一対の挟持部１ｆは、基部１ａの同一平面内に設けられた３個の凸部１ｇによって形成されると共に、図９に示すように、孔１ｂの中心
線Ｚと直交する線Ｙを挟んで互いに間隔を置いて配置されている。
【００２１】
金属材からなる操作軸２は、操作部２ａと、操作部２ａに繋がった円柱状の支持部２ｂと、この支持部２ｂに繋がった非円形部２ｃとを有する。
また、この非円形部２ｃは、軸方向に対向した平坦部２ｄが設けられて、断面が小判形状となすと共に、この平坦部２ｄによって回転伝達面Ｘが形成されている。
そして、この操作軸２は、図１に示すように、非円形部２ｃが支持部材１の孔１ｂに挿通されて、支持部２ｂが筒状部１ｃにより回転と軸方向の移動可能に保持されている。
【００２２】
金属のバネ板からなるバネ部材３は、図１１，図１２に示すように、中心部に孔３ａを有し、若干折り曲げられた環状の板部３ｂと、板部３ｂの外周部において、互いに間隔を置いて設けられた一対の掛け止め部３ｃとを有し、このバネ部材３は、図１，図５に示すように、板部３ｂが支持部材１の基部１ａの内面に載置された状態で、一対の掛け止め部３ｃがそれぞれ一対の挟持部１ｆに掛け止めされて片持ち状に支持され、この掛け止め部３ｃを支点として、孔３ａの反対側に位置する板部３ｂの部分が軸方向に移動可能に支持されている。
【００２３】
合成樹脂の成型品等からなる駆動体４は、図１３〜図１５に示すように、中心部に孔４ａを有する環状の板部４ｂと、板部４ｂの外周部において、互いに間隔を置いて設けられた一対の支持部を構成する掛け止め部４ｃと、この一対の掛け止め部４ｃの間において、板部４ｂの一面である下面からから下方に突出した円弧状面を有する押さえ部４ｄと、この押さえ部４ｄに対して孔４ａを挟んで対向する位置に設けられた一つの突部４ｅとを有する。
【００２４】
そして、突部４ｅと押さえ部４ｄとは、孔４ａの中心を通る線において互いに対向した位置に配置されると共に、駆動体４は、図１，図６に示すように、板部４ｂがバネ部材３の板部３ｂ上に載置された状態で、一対の掛け止め部４ｃがそれぞれ一対の挟持部１ｆに掛け止めされて片持ち状に支持され、この掛け止め部４ｃを支点として、孔４ａの反対側に位置する突部４ｅが軸方向に移動可能に支持されている。
【００２５】
亜鉛ダイキャスト、合成樹脂の成型品等からなる回転伝達部材５は、図１６〜図２０に示すように、円板状の基部５ａと、この基部５ａの中心部に設けられ、平坦面５ｂからなる回転伝達面Ｘを有する小判状の非円形孔５ｃと、この基部５ａの上面である一面側の周縁部に設けられた凸部からなるストッパー部５ｄと、基部５ａの下面である他面側の周縁部に設けられた矩形状の凸部からなる一対の係合部５ｅを有する。
そして、この一対の係合部５ｅは、非円形孔５ｃの中心Ｚと直交する線Ｙ上で、回転伝達面Ｘと直交する位置において、非円形孔５ｃを挟んで互いに対向する位置に設けられている。
【００２６】
また、この回転伝達部材５は、図１に示すように、非円形孔５ｃに操作軸２の非円形部２ｃが挿通された状態で、その一面が支持部材１の凸部１ｄに当接した状態で取り付けられ、回転伝達部材５が操作軸２の溝部（図示せず）に嵌入したワッシャー６によって、抜け止めされると共に、操作軸２もこのワッシャー６によって抜け止めされている。
【００２７】
更に、この回転伝達部材５は、操作軸２の軸方向Ｗに対して操作軸２以外に直角方向での位置規制が無く、このため、図３に示すように、操作軸２の平坦面２ｄと非円形孔５ｃの平坦面５ｂとの全面が当接し、従って、両者の回転伝達面Ｘが遊びの無い状態となり、操作軸２からの回転を回転伝達部材５に遊び無く伝達できると共に、操作軸２を軸方向Ｗに移動した時、操作軸２と回転伝達部材５との間でキシミを生じることなく、操作軸２の移動を行うことができる。
なお、図３に示すように、操作軸２の平坦面２ｄと直交する方向については、操作軸２と非円形孔５ｃは、若干のスペースを介して配置されている。
【００２８】
合成樹脂の成型品からなる筺体７は、中央部に孔７ａを有する底壁７ｂと、底壁７ｂから直角に延びる筒状の側壁７ｃと、孔７ａの周辺部に設けられた筒状の受け部７ｄとを有し、この筺体７の底壁７ｂには、複数個の接触片８が埋設されて、接触片８の一端は、筺体７内に突出し、他端は、筺体７外に突出している。そして、この筺体７は、回転伝達部材５等を覆うように支持部材１の下面に配置されている。
【００２９】
合成樹脂の成型品からなる回転体９は、図２１〜図２４に示すように、中心部に円形の貫通孔９ａを有する円板状の板部９ｂと、板部９ｂの上面である一面側の外周部に設けられた凹凸部９ｃと、板部９ｂの上面である一面側において、貫通孔９ａと凹凸部９ｃとの間に設けられた矩形状の凹部からなる一対の係合部９ｄと、板部９ｂの下面である他面側に設けられた円形のへこみ部９ｅと、このへこみ部９ｅの一部に設けられた凸部９ｆとを有する。
そして、この一対の係合部９ｄは、貫通孔９ａを挟んで互いに対向する位置に設けられている。
【００３０】
円板状の絶縁基板１０は、図２５に示すように、中心部に設けられた円形孔１０ａと、外周部に設けられた凹部１０ｂを有すると共に、この絶縁基板１０の一面には、円形孔１０ａの周囲に配置された抵抗体１１と、この抵抗体１１の内外に配置された２個の導電体１２とが設けられている。
そして、この絶縁基板１０は、回転体９の凸部９ｆに凹部１０ｂを合わせた状態で、へこみ部９ｅに収納して取り付けられ、絶縁基板１０が回転体９と共に回転するようになっている。
【００３１】
また、絶縁基板１０を取り付けた回転体９は、図１に示すように、筺体７内に収納され、絶縁基板１０の円形孔１０ａ内に受け部７ｄが位置して、回転体９がこの受け部７ｄを中心として回転できるようにすると共に、接触片８がそれぞれ抵抗体１１と導電体１２に接触して、回転型電気部品Ｄが構成されている。
更に、回転体９が取り付けられた際、回転体９の貫通孔９ａには、操作軸２の非円形部２ｃが遊嵌状態で挿通され、また、駆動体４がバネ部材３によって回転体９に弾圧されて、突部４ｅが凹凸部９ｃに係合すると共に、押さえ部４ｄは複数の凹凸部９ｃの上面に弾接し、従って、押さえ部４ｄは上下動することなく凹凸部９ｃの上面に弾接され、この状態で、回転体９が筺体７の底壁７ｂに弾圧されている。
【００３２】
更に又、回転体９が取り付けられた際、回転体９の係合部９ｄには、図１，図４に示すように、回転伝達部材５の係合部５ｅが凹凸係合した状態となる。
この時、凸部からなる係合部５ｅと凹部からなる係合部９ｄは、回転伝達面Ｘと直交する線方向には、遊びのある状態で係合した状態となっているが、回転伝達面Ｘと平行な線方向、即ち、回転方向においては、互いに遊びの無い状態で係合した状態となっている。
【００３３】
そして、このように、係合部５ｅと係合部９ｄが回転伝達面Ｘと直交する線方向に遊びを持たすことにより、加工時のバラツキ、組立時のバラツキ等によって、回転体９が受け部７ｄで支持された時の操作軸２の軸心と回転体９の中心のずれが生じたとしても、ストｐれすが加わることなく両者の係合状態を、確実にするものである。
【００３４】
複数個の固定接点１３，１４が埋設された絶縁基体１５は、筺体７の下面に配置されると共に、絶縁基体１５と操作軸２との間には、内部に可動接点１６を収納した状態で、ゴム材等からなるドーム状の押圧部材１７が配置され、プッシュ型のスイッチＳが構成されている。
また、スイッチＳが筺体７の下面に取り付けられた際、押圧部材１７によって操作軸２が上方に押された状態となっている。
そして、絶縁基体１５，筺体７，及び支持部材１は、取付板１８によって一体化されて、取り付けられている。
【００３５】
次に、本発明のクリック付回転型電気部品の動作を説明すると、先ず、操作軸２の操作部２ａを回転して、非円形部２ｃによって回転伝達部材５を回転すると、凹凸係合した係合部５ｅ、９ｄによって、回転体９と絶縁基板１０が回転して、抵抗体１１と導電体１３が接触片８に摺接して、抵抗値が変化して、回転型電気部品Ｄの操作が行われる。
また、この操作軸２の回転時、回転体９の回転によって、バネ部材３によって弾圧された駆動体４の突部４ｅが凹凸部９ｃに係脱して、操作軸２の回転にクリック感を与えて、クリック機構Ｋが構成されている。
【００３６】
更に、駆動体４は、操作軸２を挟んで突部４ｅと対向する押さえ部４ｄが回転体９に弾圧された状態となると共に、この押さえ部４ｄ側に設けられた掛け止め部４ｃ側を支点として、突部４ｅ側が軸方向に移動するようになっている。
そして、操作軸２を回転した時、回転伝達部材５のストッパー部５ｄが支持部材１のストッパー部１ｅに係合して、操作軸２のストッパーを構成している。
【００３７】
また、操作軸２を軸方向Ｗに押圧すると、操作軸２が押圧部材１７を介して可動接点１６を押して、可動接点１６を固定接点１２、１３に接触させて、スイッチＳの接点の切換を行う。
そして、操作軸２の押圧動作を解除すると、操作軸２は押圧部材１７により元の状態に復帰すると共に、可動接点１６も自己復帰して、固定接点１２，１３間の短絡状態が解除される。
この際、操作軸２が回転伝達面Ｘと平行な方向へ仮にセンターずれしたとしても、回転伝達部材５が回転伝達面Ｘと平行に位置が変わるので操作軸２に横方向のストレスが加わることなく、回転体９を確実に駆動することができ、また、操作軸２が回転伝達面Ｘと直交方向へ仮にセンターずれしたとしても、回転伝達部材５との間のスペースにより操作軸２に横方向のストレスが加わることがない。
また、他方向へ仮にセンターずれしたとしても、上記の両方の動作が組み合わされて、操作軸２には横方向のストレスが加わらない。
よって、操作軸は確実に復帰する。
このようにして、クリック付回転型電気部品の操作が行われる。
【００３８】
また、図２６，図２７は操作軸２の他の実施例を示し、この実施例における操作軸２は、合成樹脂の成型品で構成されており、非円形部２ｃは、軸方向の外面に複数の凸条２ｅが設けられ、この複数の凸条２ｅの頂面を結ぶ面によって回転伝達面Ｘが形成されたものである。
そして、凸条２ｅ間に位置する凹部２ｆは、合成樹脂の成型加工後に生じる湯の縮みを予測して設けたものである。
また、このような操作軸２も、図２７に示すように、前記実施例と同様に回転伝達部材５の非円形孔５ｃに挿通され、両者の回転伝達面Ｘが接した状態となっている。
【００３９】
また、上記実施例において、回転型電気部品Ｄは可変抵抗器で説明したが、回転型エンコーダ等を用いても良い。
【００４０】
【発明の効果】
本発明のクリック付回転型電気部品において、支持部材１によって回転可能に取り付けられた操作軸２と、一面に複数の凹凸部９ｃを有し、操作軸２によって回転される回転体９と、回転方向への移動が規制されると共に、軸方向の移動が可能に保持された駆動体４と、この駆動体４を回転体９に弾圧するバネ部材３とを備え、駆動体４には、回転体９の凹凸部９ｃとの間で係脱を行う一つの突部４ｅを設けたため、種々の作動力と種々のクリック力の対応においては、作動力を変えるバネ部材３と、クリック力を変える駆動体４を用意すれば良く、従来の前者に比して、少ない部品点数で対応できるものである。
【００４１】
また、一つの突部４ｅにより係脱を行うため、種々のクリック角の対応においても、回転体９を変更するだけでよく、従来の後者に比して、少ない部品点数で対応できるものである。
更に、駆動体４の回転方向への移動の規制を、操作軸２の中心から離間した位置で行うことができ、よって、操作軸２が回転すると直ちにクリック感を生起できる。
【００４２】
また、駆動体４は、操作軸２を挟んで突部４ｅと対向する位置に押さえ部４ｄを有し、この押さえ部４ｄがバネ部材３によって回転体９に弾圧されるようにしたため、回転体９にかかる力が平均化され、操作軸２の円滑な回転ができる。
また、バネ部材３の弾圧力は、操作軸２にかからず、回転体９を筺体７に弾圧するものであるため、バネ部材３のバネ力によって、操作軸２の回転軸芯が傾くことが無く、円滑な回転を行うことができる。
【００４３】
また、駆動体４には、押さえ部４ｄを形成した側に支持部４ｃを設け、この支持部４ｃが支持部材１に片持ち状態で保持され、駆動体４の突部４ｅ側が支持部４ｃを支点として軸方向に移動するようにしたため、駆動体４の突部４ｅ側の移動を大きくすることも容易に可能であり、重いクリック力とすることが容易となり、且つ、スムースに駆動体４の移動を行うことができ、滑らかな操作感触を保つことができる。
【００４４】
また、支持部材１は、軸方向Ｗの線と直交する線Ｙを挟んで互いに間隔をおいて配置された一対の挟持部１ｆを有し、この挟持部１ｆによって支持部４ｃが保持されたため、駆動体４の保持を確実にできると共に、その保持が径方向に小さくできて、小型のものが得られる。
また、駆動体４が合成樹脂の成型品で形成され、バネ部材３が金属板で形成されたため、円滑なクリック感が得られるクリック機構を提供できる。
【図面の簡単な説明】
【図１】本発明のクリック付回転型電気部品の要部断面図。
【図２】本発明のクリック付回転型電気部品の要部斜視図。
【図３】本発明のクリック付回転型電気部品に係り、操作軸と回転伝達部材との関係を示す説明図。
【図４】本発明のクリック付回転型電気部品に係り、回転伝達部材と回転体の関係を示す説明図。
【図５】本発明のクリック付回転型電気部品に係り、支持部材にバネ部材を組み合わせた状態を示す下面図。
【図６】本発明のクリック付回転型電気部品に係り、支持部材に駆動体を組み合わせた状態を示す下面図。
【図７】本発明のクリック付回転型電気部品に係る支持部材の平面図。
【図８】本発明のクリック付回転型電気部品に係る支持部材の側面図。
【図９】本発明のクリック付回転型電気部品に係る支持部材の下面図。
【図１０】図９の１０−１０線における断面図。
【図１１】本発明のクリック付回転型電気部品に係るバネ部材の平面図。
【図１２】本発明のクリック付回転型電気部品に係るバネ部材の側面図。
【図１３】本発明のクリック付回転型電気部品に係る駆動体の平面図。
【図１４】本発明のクリック付回転型電気部品に係る駆動体の側面図。
【図１５】本発明のクリック付回転型電気部品に係る駆動体の下面図。
【図１６】本発明のクリック付回転型電気部品に係る回転伝達部材の平面図。
【図１７】本発明のクリック付回転型電気部品に係る回転伝達部材の側面図。
【図１８】本発明のクリック付回転型電気部品に係る回転伝達部材の下面図。
【図１９】本発明のクリック付回転型電気部品に係る回転伝達部材の裏面図。
【図２０】図１６の２０−２０線における断面図。
【図２１】本発明のクリック付回転型電気部品に係る回転体の平面図。
【図２２】本発明のクリック付回転型電気部品に係る回転体の側面図。
【図２３】本発明のクリック付回転型電気部品に係る回転体の下面図。
【図２４】図２１の２４−２４線における断面図。
【図２５】本発明のクリック付回転型電気部品に係る絶縁基板の平面図。
【図２６】本発明のクリック付回転型電気部品に係り、操作軸の他の実施例を示す断面図。
【図２７】本発明のクリック付回転型電気部品に係り、操作軸の他の実施例と回転伝達部材との関係を示す説明図。
【図２８】従来のクリック付回転型電気部品の断面図。
【図２９】従来のクリック付回転型電気部品に係るバネ板の平面図。
【図３０】従来のクリック付回転型電気部品の断面図。
【符号の説明】
１  支持部材
１ａ  基部
１ｂ  孔
１ｃ  筒状部
１ｄ  凸部
１ｅ  ストッパー部
１ｆ  挟持部
１ｇ  凸部
２  操作軸
２ａ  操作部
２ｂ  支持部
２ｃ  非円形部
２ｄ  平坦面
２ｅ  凸条
２ｆ  凹部
３  バネ部材
３ａ  孔
３ｂ  板部
３ｃ  掛け止め部
４  駆動体
４ａ  孔
４ｂ  板部
４ｃ  掛け止め部（支持部）
４ｄ  押さえ部
４ｅ  突部
５  回転伝達部材
５ａ  基部
５ｂ  平坦面
５ｃ  非円形孔
５ｄ  ストッパー部
５ｅ  係合部
６  ワッシャー
７  筺体
７ａ  孔
７ｂ  底壁
７ｃ  側壁
７ｄ  受け部
８  接触片
９  回転体
９ａ  貫通孔
９ｂ  板部
９ｃ  凹凸部
９ｄ  係合部
９ｅ  へこみ部
９ｆ  凸部
１０  絶縁基板
１０ａ  円形孔
１０ｂ  凹部
１１  抵抗体
１２  導電体
１３  固定接点
１４  固定接点
１５  絶縁基体
１６  可動接点
１７  押圧部材
１８  取付板
Ｚ  中心
Ｙ  線
Ｘ  回転伝達面
Ｗ  軸方向
Ｓ  スイッチ
Ｋ  クリック機構
Ｄ  回転型電気部品
【図１】
0003732988.tif 000002
【図２】
0003732988.tif 000003
【図３】
0003732988.tif 000004
【図４】
0003732988.tif 000005
【図５】
0003732988.tif 000006
【図６】
0003732988.tif 000007
【図７】
0003732988.tif 000008
【図８】
0003732988.tif 000009
【図９】
0003732988.tif 000010
【図１０】
0003732988.tif 000011
【図１１】
0003732988.tif 000012
【図１２】
0003732988.tif 000013
【図１３】
0003732988.tif 000014
【図１４】
0003732988.tif 000015
【図１５】
0003732988.tif 000016
【図１６】
0003732988.tif 000017
【図１７】
0003732988.tif 000018
【図１８】
0003732988.tif 000019
【図１９】
0003732988.tif 000020
【図２０】
0003732988.tif 000021
【図２１】
0003732988.tif 000022
【図２２】
0003732988.tif 000023
【図２３】
0003732988.tif 000024
【図２４】
0003732988.tif 000025
【図２５】
0003732988.tif 000026
【図２６】
0003732988.tif 000027
【図２７】
0003732988.tif 000028
【図２８】
0003732988.tif 000029
【図２９】
0003732988.tif 000030
【図３０】
0003732988.tif 000031